(57)【要約】【課題】外張りや内張りを開閉する巻取器を有する栽培用ハウスにおいて、巻取器の近傍に溜まった水の凍結により巻取器の操作ができなくなることや巻取軸を変形させたり破損させることを防止した栽培用ハウスを提供する。【解決手段】栽培用ハウスは、躯体(1,1a)と、躯体(1,1a)に展張されている合成樹脂製のフィルム又はシートからなる外張り(2,2a,2b)と、巻取軸(40)を備え外張り(2,2a,2b)を開閉するときに巻取軸(40)自体が躯体(1,1a)上又は躯体(1,1a)に沿って移動しながら外張り(2,2a,2b)を巻き取り又は繰り出す巻取器(4,4a,4b,4c,4d)とを備えており、巻取器(4,4a,4b,4c,4d)の停止位置には、展張状態の外張り(2,2a,2b)と巻き取られたロール状態の外張り(2,2a,2b)又は巻取軸(40)との間で形成される窪みに溜まる雨水又は結露水を排出するための透水孔(21)が所要数設けられている。【選択図】図１
2012231807.tif 000002
【特許請求の範囲】
【請求項１】
中央部分が高く、両側部分が前記中央部分より低い屋根部分を有する栽培用ハウスであって、
門型のパイプを有する躯体と、
該躯体に展張されている合成樹脂製のフィルム又はシートからなる外張りと、
を有し、
前記躯体の幅方向の両側には、
前記外張りの端縁部を固定具で固定している巻取軸を有し、前記外張りを開閉するときに前記巻取軸自体が前記躯体上又は躯体に沿って移動しながら外張りを巻き取り又は繰り出す巻取器を備え、
該巻取器で前記外張りの下側を、閉じたときの位置から開き位置まで巻き上げて停止させたときの巻取器より上側の巻き取られていない展張状態の外張りには、巻き取られたロール状態の外張りとの間で形成される窪みに溜まる雨水を排出するための透水孔が備わっている、
栽培用ハウス。
【請求項２】
栽培用ハウスは、屋根部分の下側にアーチ状のパイプで構成された内張り用の骨組をハウス内に備え、該骨組の上面側には合成樹脂製のフィルム又はシートを展張して内張りが設けられており、
該内張りの両側には、内張りの端縁部を固定具で固定している巻取軸を有し、前記内張りを開閉するときに前記巻取軸自体が前記骨組上又は骨組に沿って移動しながら内張りを巻き取り又は繰り出す巻取器を備えており、
該巻取器で前記内張りの下側を、閉じたときの位置から開き位置まで巻き上げて停止させたときの巻取器より上側の巻き取られていない展張状態の内張りには、巻き取られたロール状態の内張りとの間で形成される窪みに溜まる結露水を排出するための透水孔が備わっている、
請求項１記載の栽培用ハウス。
【発明の詳細な説明】
【技術分野】
【０００１】
本発明は、栽培用ハウスに関するものである。更に詳しくは、躯体に合成樹脂製のフィルム又はシートを展張して形成した外張りや骨組に展張した内張りを開閉する巻取器を有する栽培用ハウスにおいて、巻取器より上側の外張りや内張りに雨水又は結露水が溜まらないようにした栽培用ハウスに関する。
【背景技術】
【０００２】
各種作物を栽培する栽培用ハウスには、骨組等の躯体に合成樹脂製の透光性を有するフィルム又はシートを張設して、ハウスの中に更に内張りを形成した構造のものがある。
このように内張りを設けたものは、外張りと内張りの間に空気の層を設けることで保温性を高めることができるが、反面、内張りの上面に結露水が溜まり、その重みでフィルム又はシートが破裂することによる落水で下方で栽培されている作物を傷めてしまう問題があった。
【０００３】
この問題を解消するために、栽培用ハウスの内張りに水抜きのための多数の孔を有する有孔フィルムが使用されており、その一例としては、例えば特許文献１に記載されている農業用有孔フィルムを使用したハウスがある。
【０００４】
特許文献１に記載の農業用有孔フィルムは、合成樹脂フィルムの長さ方向に沿って、幅方向の少なくとも一方の端から２０〜１００ｃｍの幅に、１０〜２０ｃｍ間隔で穿孔された直径２〜５ｍｍの孔を有する開孔部が設けられ、開孔部の合計面積がフィルムの全面積の５〜２０％であり、農業用フィルム、特にハウスの内張フィルムの保温性を保持することができると共にフィルム上に結露水が溜まることがないというものである。
【先行技術文献】
【特許文献】
【０００５】
【特許文献１】特開２００１−２１１７６１
【発明の概要】
【発明が解決しようとする課題】
【０００６】
しかしながら、前記従来の農業用有孔フィルムを使用した栽培用ハウスには次のような課題があった。
すなわち、通常、栽培用ハウスには、外張りや内張りを開閉して内部の温度を調節するために、外張りや内張りを開閉するときに巻取軸自体が躯体上又は躯体に沿って移動しながら外張りや内張りを巻き取り又は繰り出す巻取器を備えている。
巻取器は、栽培用ハウスの長さと同じ長さを有する巻取軸を有しており、巻取器の停止位置には、展張状態の外張りや内張りと巻き取られたロール状態の外張りや内張り又は巻取軸との間で形成される窪みに雨水又は結露水が溜まるので、特に寒冷地においてはこれが凍結して巻取器の操作ができなくなることがあった。
【０００７】
また、巻取軸は長尺であるため、一般には多数の金属パイプを連結した構造である。このため、前記のように巻取軸の近傍に溜まった雨水又は結露水がパイプの継ぎ目部分から内部に侵入し、これが腐蝕の原因となったり、特に寒冷地では、内部の水が凍結してパイプを変形させたり破損させることがあった。
しかし、前記特許文献１に記載された従来の栽培用ハウスは、一般に使用されている前記のような巻取器について何ら記載がなく、当然ながら巻取器の使用に対応できるような有孔フィルムの張設構造についても説明がされていない。
【０００８】
（本発明の目的）
本発明は、骨組等の躯体に合成樹脂製のフィルム又はシートを展張して形成した外張りや内張りを開閉する巻取器を有する栽培用ハウスにおいて、展張状態の外張りや内張りと巻き取られたロール状態の外張りや内張り又は巻取軸との間で形成される窪みに雨水又は結露水が溜まらないようにすることにより、溜まった水の凍結により巻取器の操作ができなくなることや巻取軸を変形させたり破損させることを防止した栽培用ハウスを提供することを目的とする。
【課題を解決するための手段】
【０００９】
上記課題を解決するために本発明が講じた手段は次のとおりである。
【００１０】
（１）本発明は、
中央部分が高く、両側部分が前記中央部分より低い屋根部分を有する栽培用ハウスであって、
門型のパイプを有する躯体と、
該躯体に展張されている合成樹脂製のフィルム又はシートからなる外張りと、
を有し、
前記躯体の幅方向の両側には、
前記外張りの端縁部を固定具で固定している巻取軸を有し、前記外張りを開閉するときに前記巻取軸自体が前記躯体上又は躯体に沿って移動しながら外張りを巻き取り又は繰り出す巻取器を備え、
該巻取器で前記外張りの下側を、閉じたときの位置から開き位置まで巻き上げて停止させたときの巻取器より上側の巻き取られていない展張状態の外張りには、巻き取られたロール状態の外張りとの間で形成される窪みに溜まる雨水を排出するための透水孔が備わっている、
栽培用ハウスである。
【００１１】
（２）本発明は、
栽培用ハウスは、屋根部分の下側にアーチ状のパイプで構成された内張り用の骨組をハウス内に備え、該骨組の上面側には合成樹脂製のフィルム又はシートを展張して内張りが設けられており、
該内張りの両側には、内張りの端縁部を固定具で固定している巻取軸を有し、前記内張りを開閉するときに前記巻取軸自体が前記骨組上又は骨組に沿って移動しながら内張りを巻き取り又は繰り出す巻取器を備えており、
該巻取器で前記内張りの下側を、閉じたときの位置から開き位置まで巻き上げて停止させたときの巻取器より上側の巻き取られていない展張状態の内張りには、巻き取られたロール状態の内張りとの間で形成される窪みに溜まる結露水を排出するための透水孔が備わっている、
前記（１）の栽培用ハウスである。
【００１２】
本明細書及び特許請求の範囲にいう「展張」とは、フィルム又はシートを展開して（拡げて）張設するという意味を含むものである。
また、本明細書及び特許請求の範囲にいう「外張り」、「内張り」は、透光性を有する合成樹脂製のフィルム又は概念的にはその厚さがフィルムよりやや厚いとされるシートからなるものである。合成樹脂製のフィルム又はシートの材料としては、例えばポリ塩化ビニル(PVC)、ポリエステル(PE)、ポリプロピレン（PP）等があげられるが、これらに限定されるものではない。
【００１３】
（作用）
本発明に係る栽培用ハウスの作用を説明する。
栽培用ハウスは、巻取器の停止位置に、展張状態の外張りや内張りと巻き取られたロール状態の外張りや内張り又は前記巻取軸との間で形成される窪みに溜まる雨水又は結露水を排出するための透水孔が所要数設けられているので、前記窪みに雨水又は結露水が溜まらないようにすることができる。
これにより、前記窪みに溜まった水の凍結により巻取器の操作ができなくなることや巻取軸を変形させたり破損させることを防止することができる。
【００１４】
ハウスの中に内張り用の骨組を備えており、該骨組には合成樹脂製のフィルム又はシートを水平に展張して内張りが設けられており、該内張りには、全面にわたり結露水が溜まらないように排出するための透水孔が所要数設けられているものは、例えば下方で栽培されている作物が、内張りの透水孔から滴下した水に強く、濡れても傷みにくいものであったり、ハウス内部でビニルトンネル栽培を行う場合のように作物に直接滴下しないようになっている等、結露水が落下しても被害を受けにくい場合に有用である。したがって、栽培用ハウスは、内張りを設けることにより、ハウス内の保温性を高めることができると共に内張りに結露水が溜まることも防止できる。
【００１５】
栽培用ハウスが横方向に連結されている連棟型であり、各棟間の外張りの谷部に排水樋が棟の長さ方向に設けられており、前記外張りに設けられている透水孔は、少なくとも展張状態の外張りと巻き取られたロール状態の外張り又は前記巻取軸との間で形成される窪みに溜まる雨水を前記排水樋に誘導することができる位置に設けられているものは、水の凍結により巻取器の巻取軸を回転させる操作ができなくなることや内部の凍結した水で巻取軸を変形させたり破損させることを防止することができると共に、透水孔から落ちた雨水を排水樋によって所要箇所に確実に排出することができる。
【発明の効果】
【００１６】
本発明は、躯体に合成樹脂製のフィルム又はシートを展張して形成した外張りや骨組に展張された内張りに、それらを開閉する巻取器を有する栽培用ハウスにおいて、巻取器の停止位置に、展張状態の外張りや内張りと巻き取られたロール状態の外張りや内張り又は巻取軸との間で形成される窪みに溜まる雨水又は結露水を排出するための透水孔が所要数設けられているので、前記窪みに雨水又は結露水が溜まらないようにすることができる。
これにより、前記窪みに溜まった水の凍結により巻取器の巻取軸を回転させる操作ができなくなることや内部で凍結した水によって巻取軸を変形させたり破損させることを防止した栽培用ハウスを提供することができる。
【図面の簡単な説明】
【００１７】
【図１】本発明に係る単棟型の栽培用ハウスの実施の形態を示す概略正面図。
【図２】図１におけるＰ１部の斜視説明図。
【図３】本発明に係る連棟型の栽培用ハウスの実施の形態を示す概略正面図。
【図４】図３におけるＰ２部の斜視説明図。
【発明を実施するための形態】
【００１８】
〔実施の形態１〕
本発明を図面に示した実施の形態に基づき詳細に説明する。
図１及び図１のＰ１部分を説明する図２を参照する。
【００１９】
単棟型の栽培用ハウスＡ１は、門型の多数のパイプ１０とそれらを連結するパイプ１１で形成された躯体１を有している。躯体１の外面側には、合成樹脂製（本実施の形態ではポリ塩化ビニル製）のフィルムを展張して外張り２が設けられている。外張り２は、躯体１を構成する門型のパイプ１０の両端側に固定されているパイプ１１ａの間に張り渡された多数のゴム製のバンド３で外側から締め付けられて躯体１に固定されている。
【００２０】
外張り２においてパイプ１０の軸線方向の両端部には、それぞれ巻取器４が取り付けられている。巻取器４は、栽培用ハウスＡ１の長さとほぼ同じ長さの巻取軸４０を有し、巻取軸４０の両端部に巻取軸４０を手動で回転させるためのハンドル４１（図２では省略）を有している。巻取軸４０には、外張り２の先端縁部が固定具（図示省略）で固定されている。
【００２１】
そして、巻取軸４０を回転（図１で右側の巻取器４では左回転、左側の巻取器４では右回転）させて外張り２を巻き取ることにより、巻取器４が上昇して外張り２の下側を開けることができる。また、巻取軸４０を前記とは逆方向に回転させて外張り２を巻き戻すことにより、巻取器４を下降させて外張り２を閉じることができる。なお、巻取器４はバンド３で押さえられており、自重で落ちないようにしている。
【００２２】
外張り２において、巻取器４で外張り２を巻き取って外張り２の下側を開けたときの巻き上げ位置（開き位置）Ｈ２より上側の巻き取られていない部分には、透水孔２１が所要間隔で形成されている（図２参照）。本実施の形態では、各透水孔２１の縦方向（栽培用ハウスＡ１の幅方向）の間隔が２００ｍｍ、横方向（栽培用ハウスＡ１の長さ方向）の間隔が２００ｍｍ、透水孔２１の口径が４ｍｍに設定されているが、これに限定するものではなく適宜設定することができる。
【００２３】
各透水孔２１は、ポリ塩化ビニル製のフィルムである外張り２に加熱したピン状のもので素材を熱溶融させながら孔を開ける方法で形成されている。これにより、透水孔２１の孔縁部分は熱で溶けた後、固まるので、孔縁部分が破れたりすることがなく、外張り２は裂けにくい。
【００２４】
ポリ塩化ビニル製の外張り２は、僅かな切れ目等からでも簡単に裂けてしまうため、本実施の形態では、前記方法を採用しているが、例えばポリエステルやポリプロピレン等の裂けにくい素材のフィルムを採用する場合は、単に尖ったピンで透水孔を開けるようにしてもよい。これについては、後述する内張り５の各透水孔５１及び栽培用ハウスＡ２の外張り２ａ、２ｂの各透水孔２１ａ、２１ｂ、内張り８ａ、８ｂの各透水孔８１、８２についても同様である。
【００２５】
また、透水孔２１は、外張り２において巻取軸４０で巻き取られている部分にまで及ぶように形成することもできる。これについては、後述する栽培用ハウスＡ２の巻取器４ａ、４ｂ、４ｃ、４ｄ近傍の透水孔２１についても同様である。さらに、外張り２において、巻取器４で外張り２を巻き戻して外張り２を閉じたときの位置（閉じ位置）Ｈ１より上側または近傍部分に透水孔を形成することもできる。なお、図１において、閉じ位置Ｈ１にある巻取器４及び外張り２の巻取器４につながる部分は想像線で表している。
【００２６】
また、栽培用ハウスＡ１の内部側の天部近傍には、フィルムを水平に展張した内張り５が設けられている。内張り５は、躯体１に設けられた骨組である両側のパイプ１２間に張り渡したゴム製のバンド５０の上に載せて展張されている。内張り５には、全面にわたり多数の透水孔５１が所要間隔で形成されている。各透水孔５１の縦方向及び横方向の間隔と口径は、前記透水孔２１と同様であるが、これに限定するものではなく適宜設定ができる。
【００２７】
（作用）
図１及び図２を参照して栽培用ハウスＡ１の作用を説明する。
栽培用ハウスＡ１は、巻取器４が外張り２の開き位置Ｈ２に位置したときの巻取器４の巻取軸４０より上側のフィルムに透水孔２１が設けられており、雨水又は結露水はこの透水孔２１を通って落下するので、展張状態の外張り２と巻き取られたロール状態の外張り２との間で形成される窪みに雨水又は結露水が溜まらないようにすることができる。
これにより、前記窪みに溜まった水の凍結により巻取器４の巻取軸４０を回転させる操作ができなくなることや、巻取軸４０内部で凍結した水で巻取軸４０を変形させたり破損させることを防止することができる。
【００２８】
また、内張り５は、外張り２の内部側に外張り２の内天部と所要の間隔で水平に展張されており、内張り５には、その全面にわたり結露水が溜まらないように排出するための透水孔５１が所要数設けられている。
これにより、栽培用ハウスＡ１は、例えば下方で栽培されている作物が、内張り５の透水孔５１から滴下した水に強く、濡れても傷みにくいものであったり、ハウス内部でビニルトンネル栽培を行う場合のように作物に直接滴下しないようになっている等、結露水が落下しても被害を受けにくい場合に有用である。したがって、栽培用ハウスＡ１は、内張り５を設けることにより、ハウス内の保温性を高めることができると共に内張り５に結露水が溜まることも防止できる。
【００２９】
〔実施の形態２〕
図３及び図３のＰ２部分を説明する図４を参照する。
連棟型の栽培用ハウスＡ２は、躯体１ａ、１ｂに合成樹脂製（本実施の形態ではポリ塩化ビニル製）のフィルムを展張して外張り２ａ、２ｂが形成されており、単棟型の栽培用ハウスを幅方向に一体に並設した構造を有している。栽培用ハウスＡ２は、幅方向の中央に多数の支柱６を有しており、各支柱６の上端には、栽培用ハウスＡ２の長さ方向に排水樋７が水平に固定されている。排水樋７は、水平な底板７０と、その幅方向両側に斜め上方へ傾斜して設けられた斜板７１で構成されている。
【００３０】
排水樋７の底板７０の上方には、パイプ７２が取付具７３によって排水樋７と平行に固定されている。パイプ７２には、並設されている両棟（符号省略）に外張り２ａ、２ｂを固定するために張り渡される多数のバンド３ａ、３ｂの一端が取り付けられている（図４参照）。また、各バンド３ａ、３ｂの他端は、前記栽培用ハウスＡ１の場合と同様に両棟の幅方向において外側下部のパイプ１１ｂに取り付けられている。
【００３１】
栽培用ハウスＡ２において、両棟の幅方向の外側には、前記栽培用ハウスＡ１と同様にして外張り２ａの先端に巻取器４ａ、外張り２ｂの先端に巻取器４ｂが取り付けられている。外張り２ａ、２ｂの幅方向下側を開けるときの巻取器４ａ、４ｂの巻き上げ位置（開き位置）Ｈ３は、前記栽培用ハウスＡ１の巻取器４の開き位置Ｈ２よりやや高くなるように、具体的には後述する内張り８ａ、８ｂのパイプ８０の取付位置近傍とほぼ同じ高さになるように設定されている。
【００３２】
外張り２ａ、２ｂにおいて開き位置Ｈ３に位置する巻取器４ａ、４ｂより上側には、前記外張り２と同様の透水孔２１が設けられている。なお、図３において、閉じ位置Ｈ１にある巻取器４ａ、４ｂ及び外張り２ａ、２ｂの巻取器４ａ、４ｂにつながる部分は想像線で表している。
【００３３】
また、栽培用ハウスＡ２において、両棟の外張り２ａ、２ｂで形成される谷部（Ｐ２部分）には、外張り２ａ、２ｂの基端に前記栽培用ハウスＡ１の各巻取器４と同様にして巻取器４ａ、４ｂが取り付けられている。これら巻取器４ａ、４ｂは、前記排水樋７の底板７０近傍に位置させることができる。外張り２ａ、２ｂにおいて、谷部にある巻取器４ａ、４ｂで外張り２ａ、２ｂを巻き戻して外張り２ａ、２ｂの下側を閉じたとき（図３、図４参照）の位置（閉じ位置）Ｈ４より上側の巻き取られていない部分には、透水孔２１ａ、２１ｂが前記外張り２の透水孔２１と同様に形成されている。
【００３４】
そして、透水孔２１ａは、図４に示すように排水樋７の一方の斜板７１に対応してその範囲に収まるように、透水孔２１ｂは、他方の斜板７１に対応してその範囲に収まるように形成されている。すなわち、外張り２ａ、２ｂを構成するフィルムに設けられている透水孔２１ａ、２１ｂは、少なくとも巻取器４ａ、４ｂの巻取軸４０近傍で止まる雨水を斜板７１によって排水樋７に誘導することができる位置に設けられている。
【００３５】
栽培用ハウスＡ２の両棟の内部側の天部近傍には、栽培用ハウスＡ２の長さ方向に所要数並設された緩やかなアーチ状のパイプ８０の上面側に合成樹脂製（本実施の形態ではポリ塩化ビニル製）のフィルムを展張して内張り８ａ、８ｂが設けられている。
内張り８ａ、８ｂは、アーチ状の各パイプ８０に張り渡された多数のゴム製のバンド（図示省略）で締め付けて各パイプ８０に固定されている。
【００３６】
内張り８ａ、８ｂにおいてパイプ８０の軸線方向の両端部には、それぞれ前記栽培用ハウスＡ１の外張り２に設けられている巻取器４と同様の巻取器４ｃ、４ｄが取り付けられている。巻取器４ｃ、４ｄは、巻取軸（符号省略）を回転させて内張り８ａ、８ｂを巻き取ることにより、巻取器４ｃ、４ｄが内方向へ移動して内張り８ａ、８ｂの幅方向の両側を開けることができる。また、巻取軸を前記とは逆方向に回転させて内張り８ａ、８ｂを巻き戻すことにより、巻取器４ｃ、４ｄを外方向へ移動させて内張り８ａ、８ｂを閉じることができる。
【００３７】
そして、内張り８ａ、８ｂにおいて、巻取器４ｃ、４ｄで内張り８ａ、８ｂを巻き取って内張り８ａ、８ｂの両側を開けたときの巻き上げ位置（開き位置）Ｈ６より上側の巻き取られていない部分には、透水孔８１が所要間隔で形成されている（図３参照）。また、内張り８ａ、８ｂにおいて、巻取器４ｃ、４ｄで内張り８ａ、８ｂを巻き戻して内張り８ａ、８ｂを閉じたときの位置（閉じ位置）Ｈ５より上側にも透水孔８２が同様に形成されている。なお、図２の内張り８ａにおいて、閉じ位置Ｈ５にある各巻取器４ｃ及び内張り８ａの各巻取器４ｃにつながる部分は想像線で表している。
【００３８】
（作用）
図３及び図４を参照して栽培用ハウスＡ２の作用を説明する。
栽培用ハウスＡ２は連棟型であり、外張り２ａ、２ｂにおいて各棟間の谷部に設けられている排水樋７によって外張り２ａ、２ｂをたどって谷部に流れ込む雨水を所定の箇所に排水できるようになっている。
【００３９】
すなわち、外張り２ａ、２ｂにおいて各棟間の谷部側に設けられている多数の透水孔２１ａ、２１ｂは、排水樋７の各斜板７１の上面位置に設けられているので、巻取器４ａ、４ｂ近傍の展張状態の外張り２ａ、２ｂと巻き取られたロール状態の外張り２ａ、２ｂとの間で形成される窪みに溜まる雨水を透水孔２１ａ、２１ｂを通して各斜板７１から排水樋７の底板７０に誘導でき、窪みに水が溜まることを防止できる。
なお、排水樋を通常の樋構造とし、その幅方向両側に誘導板を設けて、透水孔を通った雨水を各誘導板によって排水樋に誘導することもできる。
また、外張り２ａ、２ｂにおいて谷部とは反対側に設けられている透水孔２１ａ、２１ｂは、前記栽培用ハウスＡ１の透水孔２１と同様に作用する。
【００４０】
したがって、寒冷地において、溜まった水の凍結により巻取器４ａ、４ｂの巻取軸４０を回転させる操作ができなくなることや、内部で凍結した水で巻取軸４０を変形させたり破損させることを防止することができる。
【００４１】
また、外気温が上昇しない場合に保温性を良好にする使用においては、外張り２ａ、２ｂの巻取器４ａ、４ｂを閉じ位置Ｈ４に位置させて外張り２ａ、２ｂを閉じ、さらに各巻取器４ｃ、４ｄを巻き戻し操作をする等して閉じ位置Ｈ５に位置させ、内張り８ａ、８ｂを閉じた状態とする。
【００４２】
逆に、外気温が上がってハウス内の温度を下げなければならない場合には、外張り２ａ、２ｂの巻取器４ｃを開き位置Ｈ３に位置させて外張り２ａ、２ｂを開け、さらに巻取器４ｃ、４ｄを巻取操作して開き位置Ｈ６に位置させ、内張り８ａ、８ｂの両側を開けた状態とする。
【００４３】
このように各内張り８ａ、８ｂによれば、ハウス内部の温度のより細かな調節ができると共に、前記各位置の各巻取器４ｃ、４ｄの近傍に透水孔８１、８２が設けられているので、前記いずれの場合も結露水が透水孔８１、８２から滴下排出され、内張り８ａ、８ｂの上面側に溜まることを防止できる。
【００４４】
なお、本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【符号の説明】
【００４５】
Ａ１  栽培用ハウス
１  躯体
１０  パイプ
１１  パイプ
１１ａ  パイプ
１２  パイプ
２  外張り
２１  透水孔
３  バンド
４  巻取器
４０  巻取軸
４１  ハンドル
Ｈ１  閉じ位置
Ｈ２  開き位置
５  内張り
５０  バンド
５１  透水孔
Ａ２  栽培用ハウス
１ａ、１ｂ  躯体
１１ｂ  パイプ
２ａ、２ｂ  外張り
２１ａ、２１ｂ  透水孔
３ａ、３ｂ  バンド
４ａ、４ｂ、４ｃ、４ｄ  巻取器
Ｈ３  開き位置
Ｈ４  閉じ位置
Ｈ５  閉じ位置
Ｈ６  開き位置
６  支柱
７  排水樋
７０  底板
７１  斜板
７２  パイプ
７３  取付具
８ａ、８ｂ  内張り
８０  パイプ
８１  透水孔
８２  透水孔
【図１】
2012231807.tif 000003
【図２】
2012231807.tif 000004
【図３】
2012231807.tif 000005
【図４】
2012231807.tif 000006